(57)【要約】      （修正有）【課題】所望の位置に適切な張力で張地を張設する。【解決手段】フレームＦに可撓性のある張地Ｍを張設して着座者支持面を形成するようにした椅子であって、前記フレームＦに設けられた張地取付部と、この張地取付部に取り付けられる前の前記張地Ｍの縁部Ｍｃ，Ｍｄ，Ｍｅとが、着座者支持面と直交する方向からの視認形状において相互に異なるように構成する。【選択図】図３
2011045575.tif 000002
【特許請求の範囲】
【請求項１】
フレームに可撓性のある張地を張設して着座者支持面を形成するようにした椅子であって、
前記フレームに設けられた張地取付部と、この張地取付部に取り付けられる前の前記張地の縁部とが、着座者支持面と直交する方向からの視認形状において相互に異なるように構成されていることを特徴とする椅子。
【請求項２】
左右対をなすフレーム間に張地を張設してなる椅子であって、
左右のフレームの前記張地取付部の離間距離と、この張地取付部に取り付けられる前の張地の縁部間距離とが、特定部分において他の部分と異なった比率になるように設定されている請求項１記載の椅子。
【請求項３】
前記フレームが背凭れを構成する背フレームであって、前記特定部分が着座者の腰を支持する部分である請求項２記載の椅子。
【請求項４】
前記張地取付部が、前記フレームの外面側に連続的に設けられた取付溝であるとともに、前記張地が縁部に押し込み材を備えたものであり、この押し込み材を前記取付溝に反転させて挿入して張地を張設している請求項１、２または３記載の椅子。
【請求項５】
前記張地が、メッシュ状である請求項１、２、３または４記載の椅子。
【請求項６】
前記張地が、張地素材に押し込み材を前記視認形状に対応させて添設し、その張地素材の縁を前記押し込み材に沿って切除することにより作られたものである請求項４または５記載の椅子。
【発明の詳細な説明】
【技術分野】
【０００１】
本発明は、オフィス等において好適に使用される椅子に関する。
【背景技術】
【０００２】
従来、フレーム間に張地を張設して座や背凭れを構成した椅子が種々知られている（例えば、特許文献１を参照）。
【０００３】
また、オフィス等で使用される回転椅子においても、フレーム間にメッシュ状の張地を張設して座や背凭れを形成したものが数多く開発されている。
【０００４】
ところが従来のものは、フレームにより形成される全体枠形状に対応させてこのフレーム間に張設される張地の形状が設定されていたため、張地の張力を所望の位置で変化させることができなかった。そのため、座面や背凭れ面の形状や反発度合い等を望み通りに設定して座り心地のよい椅子を実現することに一定の限界があり、なんらかの改善が望まれている。
【０００５】
特に、長時間使用するオフィス用の回転椅子等においては、背凭れの形状を使用者の背中の形状に密接に沿わせることが要求されているが、前述した従来の構成のものでは、このような要求に応えるだけの張地の張設技術が存在しない。そのため、所望の位置、例えば腰を支持する位置等に他の部分とは異なった適切な張力を付与することが難しく、ランバーサポート等の他のオプション部品を用いてその要求に応えているのがその現状である。
【０００６】
このような所望の位置に適切な張力で張地を張設することが難しいという課題については、回転椅子のみならず、フレームの内側に張地を張設して座や背凭れを構成するような椅子全般についても当てはまるものである。
【先行技術文献】
【特許文献】
【０００７】
【特許文献１】特開２００２−１７２０３９号公報
【発明の概要】
【発明が解決しようとする課題】
【０００８】
本発明は、以上のような課題を解決しようとするものであり、所望の位置に適切な張力で張地を張設することが難しいという課題を解消することができる椅子を提供することを目的とする。
【課題を解決するための手段】
【０００９】
本発明は、以上のような課題を解決するために、次のような構成を採用したものである。すなわち、本発明に係る椅子は、フレームに可撓性のある張地を張設して着座者支持面を形成するようにしたものであって、前記フレームに設けられた張地取付部と、この張地取付部に取り付けられる前の前記張地の縁部とが、着座者支持面と直交する方向からの視認形状において相互に異なるように構成されていることを特徴とする。
【００１０】
ここで、着座者支持面とは、座における座面及び背凭れにおける背面を指すものとする。したがって、着座者支持面と直交する方向とは、座の場合には座面と直交する方向、すなわち平面視方向からの形状を意味し、背凭れの場合には背面と直交する方向、すなわち正面視方向からの形状を意味する。
【００１１】
このようなものであれば、前記フレームに設けられた張地取付部と、前記張地取付部に取り付けられる前の前記張地の縁部との視認形状が異なる部分において、張地の張力を他の部分とは異なるものとすることができる。したがって、従来の椅子において、所定のフレームの形状に対応する形状の張地を張設することで張地全体に均一な張力が与えられ、所望の位置に適切な張力で張地を張設するのが困難であるという課題を、部品点数の増加を招くことなく解消することができる。すなわち、所定のフレームの形状であっても、このフレームに設けられた張地取付部と、この張地取付部に取り付けられる前の張地の縁部とが異なる形状をなすように構成されているため、所望の部分で適切な張力を付与することができる。
【００１２】
特に、左右対をなすフレーム間に張地を張設してなる椅子の場合において、左右のフレームの前記張地取付部の離間距離と、この張地取付部に取り付けられる前の張地の縁部間距離とが、特定部分において他の部分と異なった比率になるように設定されていれば、フレーム間の幅寸法と張地取付部に取り付けられる前の張地の幅寸法とが、張地の各部で異なるため張力を変化させることができる。
【００１３】
また、前記フレームが背凭れを構成する背フレームである場合に、前記特定部分が着座者の腰を支持する部分であれば、着座者の腰を支持する部分の張地の張力を他の部分の張地の張力よりも大きくしたり、小さくしたり調節することが可能になる。
【００１４】
さらに、前記張地取付部が前記フレームの外面側に連続的に設けられた取付溝であるとともに、前記張地が縁部に押し込み材を備えたものであり、この押し込み材を前記取付溝に反転させて挿入して張地を張設するものが好ましい。このようなものであれば、前記押し込み材により、張地を前記取付溝に取り付け始めるきっかけを作りやすくなり、また、一度取付溝に押し込み材を挿入し始めれば、連続的に設けられた取付溝に順に押し込み材を押し込むことによりフレームに張地を張設できる。そして同時に、このような押し込み材を押し込むという簡易な作業によって、所望の部分の張地の張力を調節することができる。
【００１５】
さらに、前記張地がメッシュ状のものであれば、張地のテンション分布を理解することができる。すなわち、他よりも大きな張力を配している特定部分では、張地の色が薄くなって見え、前記特定部分以外の部分では張地の色が特定部分よりも濃くなって見えることとなる。そのため、張地のどの部分に張力が大きくかかっているかを見た目で識別することが可能となる。
【００１６】
このような張地は、張地素材に押し込み材を前記視認形状に対応させて添設し、その張地素材の縁を前記押し込み材に沿って切除することにより作られたものであることが好ましい。このようなものであれば、張地取付部に取り付けられる前の前記張地の縁部の形状にかかわらず、張地に押し込み材を所望の形状に添設した後押し込み材に沿って切除するため張地を所望の形状に成形しやすい。特に、張地がメッシュ状であれば、張地を切除する前に押し込み材を張地の縁部に設けるため、張地の縁部がほつれることを防止することもできる。
【発明の効果】
【００１７】
本発明は、以上のような構成であるから、所望の位置に適切な張力で張地を張設することが難しいという課題を解消することができる椅子を提供することができる。
【図面の簡単な説明】
【００１８】
【図１】本発明の一実施形態を示す全体斜視図。
【図２】同実施形態の前面側を一部省略して示す斜視図。
【図３】同実施形態の前面側を一部省略して示す分解斜視図。
【図４】同実施形態の背面側を一部省略して示す斜視図。
【図５】同実施形態の背面側を一部省略して示す分解斜視図。
【図６】同実施形態を張地の片半部及び脚体を省略して示す正面図。
【図７】同実施形態を張地の片半部及び脚体を省略して示す平面図。
【図８】同実施形態を一部省略して示す右側面図。
【図９】図７におけるＡ−Ａ線端面図。
【図１０】図７におけるＢ−Ｂ線端面図。
【図１１】同実施形態の張地の張設前状態を示した背面図。
【図１２】図１１におけるＣ−Ｃ線拡大端面図。
【図１３】図１１におけるＤ−Ｄ線拡大端面図。
【図１４】図８におけるＥ−Ｅ線拡大端面図。
【図１５】本発明の変形例にかかる張地の張設前状態を模式的に示した背面図。
【発明を実施するための形態】
【００１９】
以下、本発明を事務用回転椅子に適用した場合の一実施形態について図１ないし図１４を参照して説明する。
【００２０】
この椅子は、図１に示すように、脚体１と、この脚体１により回転可能に支持された支持基部３と、この支持基部３に支持された座５及び背凭れ７とを具備してなる。
【００２１】
脚体１は、図１に示すように、キャスタ９を有した脚羽根タイプの脚ベース１１と、この脚ベース１１の中心部に立設した脚支柱１３とを具備してなる。前記脚支柱１３は、ガススプリングを主体に構成された通常のもので、この脚支柱１３の上端部に前記支持基部３が取り付けられている。
【００２２】
支持基部３は、図３ないし図８に示すように、後方に向かって漸次幅狭となる平面視ほぼ三角形状をなすものであり、前記脚支柱１３の上端部に取り付けられる底壁３ａと、この底壁３ａの周縁に設けられた周壁３ｂと、この周壁３ｂの上端に蓋着された天壁３ｃとを具備してなる。この支持基部３には、前記脚体１のガススプリングを制御するための操作レバー３ｄが設けられている。
【００２３】
座５は、図１、図３、図６ないし図８に示すように、左右対をなす座フレーム１５と、これら両座フレーム１５間に張設された可撓性のある座張地１７と、この座張地１７との間に空間１９を形成しつつ前記両座フレーム１５の前端部１５ｂ間に介設されその介設状態で前記座張地１７に張力を付与する前横梁２１とを具備してなる。
【００２４】
背凭れ７は、図１、図３、図６ないし図８に示すように、左右対をなす背フレーム２３と、これら両背フレーム２３間に張設された可撓性のある背張地２５と、この背張地２５との間に空間２７を形成しつつ前記両背フレーム２３の上部２３ａ間に介設されその介設状態で前記背張地２５に張力を付与する上横梁２９と、前記背張地２５との間に空間３１を形成しつつ前記両背フレーム２３の下部２３ｂ間に介設されその介設状態で前記背張地２５に張力を付与する下横梁３３とを具備してなる。
【００２５】
前記座フレーム１５と前記背フレーム２３とは、図１ないし図８に示すように、連続したものであり（連続した座フレーム１５と背フレーム２３とを「フレームＦ」と総称する場合がある）、前記座５と背凭れ７とが一体となるように構成されている。すなわち、左の座フレーム１５と左の背フレーム２３、及び右の座フレーム１５と右の背フレーム２３とはそれぞれ一本の連続した金属素材を一体に成形することにより一体に構成されている。
【００２６】
前記左のフレームＦ及び右のフレームＦの各外側面Ｆａには、図８ないし図１０に示すように、前記座張地１７及び前記背張地２５を取り付けるための取付溝３５が形成されている。これらの取付溝３５は、前記各フレームＦの裏面Ｆｂよりも表面Ｆｃに近い位置に配されている。ここで、裏面Ｆｂとは、座フレーム１５の場合には下面を意味し、背フレーム２３の場合には背面を意味する。また、表面Ｆｃとは、座フレーム１５の場合には上面を意味し、背フレーム２３の場合には前面を意味する。
【００２７】
前記座張地１７及び前記背張地２５（以下、「張地Ｍ」と総称する場合がある）は、図１、図３、図６ないし図８、及び図１１ないし図１３に示すように、合成樹脂製の糸を織成または編成してなるメッシュ状の張地素材を所定形状に裁断することにより一体に構成されており、着座者支持面である表面Ｍａ側から裏面Ｍｂ側に存在するものを視認することができるような透光性を備えている。
【００２８】
この張地Ｍの左右両縁部Ｍｃには、図１１及び図１３に示すように、帯状をなす剛性のある押し込み材３７が設けられている。この押し込み材３７は、前記張地Ｍの縁部Ｍｃに沿って連続して設けられたものであり、前記張地Ｍの縁部Ｍｃの一面側、すなわち裏面Ｍｂ側に縫製等により添着されている。また、この押し込み材３７は、合成樹脂等により作られたもので、前記取付溝３５に挿入可能な厚み寸法Ｔ１を有するとともに、前記取付溝３５の奥行き方向の開口寸法よりも大きな幅寸法Ｗ１を有したものである。
【００２９】
そして、図１３に示すように、この張地Ｍの各縁部Ｍｃを前記押し込み材３７とともに前記フレームＦの外面Ｆａ側に設けられた取付溝３５に反転させて挿入することにより、当該張地Ｍを左右のフレームＦ間に張設している。この状態で、左右のフレームＦ間に前横梁２１、上横梁２９及び下横梁３３を介在させることによって前記張地Ｍに張力が付与される。このようにして張力を付与された張地Ｍは、左右のフレームＦの形状に沿った形態となる。すなわち、左右の背フレーム２３は、下端の近傍に着座者の腰形状に対応して前方に突出する突出部２３ｃを有したものであり、前記背張地２５が下横梁３３により張力を付与されることにより前記突出部２３ｃに対応した突出形状をなすように張設されている。
【００３０】
また、前記張地Ｍの左右のフレームＦに支持されていない縁部Ｍｄ、Ｍｅは、図３、図１１及び図１２に示すように、袋状のものであり、その縁部Ｍｄ、Ｍｅ内に透明な芯材３９が内蔵されている。具体的には、前記座５の前縁に位置する張地Ｍ（座張地１７）の縁部Ｍｄ及び前記背凭れ７の上縁に位置する張地Ｍ（背張地２５）の縁部Ｍｅに芯材３９がそれぞれ設けられている。これらの芯材３９は、それぞれ透明なシート材を一定長さの帯状に裁断してなるもので、これら各芯材３９の両端部３９ａと前記押し込み材３７との間には芯材３９が存在しない可撓変形部４１を形成してなる。
【００３１】
前記前横梁２１は、図３ないし図６に示すように、中間に略平坦な平坦部２１ａを有した正面視Ｕ字形をなしており、その左右両端部２１ｂに左右の座フレーム１５の内側面１５ａにそれぞれ直接的に密接する対をなす取付壁４５を備えている。そして、これら各取付壁４５をそれぞれ複数の止着具たるボルト４７を用いて対応する座フレーム１５に止着している。具体的には、この取付壁４５に貫通させた２本のボルト４７を前記座フレーム１５に埋設したナット４９に締着することにより、この取付壁４５を前記座フレーム１５に固定している。なお、前横梁２１の両端部２１ｂには、前記各取付壁４５と協働して座フレーム１５を挟持する外装壁５１をそれぞれ備えている。前記取付壁４５は、前記座フレーム１５に沿って延びる形状をなしており、前記取付壁４５と前記外装壁５１とによって構成される嵌合部５３が、座フレーム１５に沿って延びる前後に長い形態をなしている。しかして、前記取付壁４５は、その厚み寸法Ｔ２よりも座フレーム１５に沿う方向の長手寸法Ｌ２が大きくなるように設定されている。
【００３２】
前記上横梁２９は、図２ないし図７及び図１０に示すように、その中央部２９ａが後方に突出するように湾曲したものであり、その左右両端部２９ｂに左右の背フレーム２３の内側面２３ｄにそれぞれ直接的に密接する対をなす取付壁５５を備えている。そして、これら各取付壁５５をそれぞれ複数の止着具たるボルト５７を用いて対応する背フレーム２３に止着している。具体的には、この取付壁５５に貫通させた２本のボルト５７を前記背フレーム２３に埋設したナット５９に締着することにより、この取付壁５５を前記背フレーム２３に固定している。なお、上横梁２９の両端部２９ｂには、前記各取付壁５５と協働して背フレーム２３を挟持する外装壁６１をそれぞれ備えている。前記取付壁５５は、前記背フレーム２３に沿って延びる形状をなしており、前記取付壁５５と前記外装壁６１とによって構成される嵌合部６３が、背フレーム２３に沿って延びる上下に長い形態をなしている。しかして、前記取付壁５５は、その厚み寸法Ｔ３よりも背フレーム２３に沿う方向の長手寸法Ｌ３が大きくなるように設定されている。
【００３３】
前記下横梁３３は、図２ないし図７及び図９に示すように、着座者の腰形状に対応して前方に突出する背フレーム２３の突出部２３ｃの近傍同士を結合するものであって、その左右方向の中央部３３ａが後方に突出するように湾曲しており、その左右両端部３３ｂに左右の背フレーム２３の内側面２３ｄにそれぞれ直接的に密接する対をなす取付壁６５を備えている。そして、これら各取付壁６５をそれぞれ複数の止着具たるボルト６７を用いて対応する背フレーム２３に止着している。具体的には、この取付壁６５に貫通させた２本のボルト６７を前記背フレーム２３に埋設したナット６９に締着することにより、この取付壁６５を前記背フレーム２３に固定している。なお、下横梁３３の両端部３３ｂには、前記各取付壁６５と協働して背フレーム２３を挟持する外装壁７１をそれぞれ備えている。前記取付壁６５は、前記背フレーム２３に沿って延びる形状をなしており、前記取付壁６５と前記外装壁７１とによって構成される嵌合部７３が、背フレーム２３に沿って延びる上下に長い形態をなしている。しかして、前記取付壁６５は、その厚み寸法Ｔ４よりも背フレーム２３に沿う方向の長手寸法Ｌ４が大きくなるように設定されている。
【００３４】
このようにしてなる本実施形態にかかる椅子は、図２及び図８に示すように、座５と背凭れ７とが一体に構成されており、これら座５及び背凭れ７が前記支持基部３に一体に設けられた前横梁２１によって片持ち支持されている。そして、この支持基部３と前記座５との間に荷物載置面７５が設けられ、その荷物載置面７５と前記座５の裏面５ａとの間に荷物Ｂ１を出し入れ自在に収容するための荷物収容空間７７が形成されている。
【００３５】
前記荷物載置面７５は、図２及び図３に示すように、平面視においてその外縁７５ａの一部が前記支持基部３の外縁３ｅよりも外側に位置する延出部７９を備えており、その延出部７９に埃排除手段８１が設けられている。すなわち、この実施形態における荷物載置面７５は、前横梁２１の平坦部２１ａの上面２１ｃと支持基部３の上に着脱可能に装着された棚板８３の上面８３ａにより形成されている。換言すれば、前記支持基部３の上面３ｆを覆い隠すようにして前記棚板８３が設けられており、その棚板８３に前記荷物載置面７５の主要部、すなわち荷物載置面７５の一部が形成されている。
【００３６】
前記棚板８３は、図２ないし図８に示すように、その上面８３ａで荷物Ｂ１を装脱可能に支持するための荷物載置面７５の一部を形成する棚板本体８５と、この棚板本体８５の下面に設けられ前記支持基部３に着脱可能に外嵌される外嵌壁体８７とを備えている。
【００３７】
前記棚板本体８５は、前記支持基部３の上面３ｆに載置されるものであって、平面視において支持基部３よりも大きな面積を有しており、前記支持基部３よりも外側に位置する部位に前記埃排除手段８１を構成する複数の貫通孔８２が設けられている。この棚板本体８５は、平面視においてＡ４版サイズよりも大きな面積を有したもので、その左右両側縁部８５ａに荷物Ｂ１の落下を防止するための湾曲部８５ｂを備えている。この棚板本体８５は、その中央部を前記脚支柱１３の軸心である支持基部３の回転中心Ｏにほぼ一致させて配設されており、前記荷物載置面７５が前記支持基部３の回転中心Ｏを含む位置に形成されるようにしている。
【００３８】
前記外嵌壁体８７は、前記支持基部３の外周面３ｇに重なり合う包持部８７ａと、前記支持基部３の底面周縁部分３ｈに重なり合う抜止部８７ｂとを備えてなるもので、前記支持基部３に後方から装脱し得るようにその前面が開放されている。また、前記外嵌壁体８７は、前記包持部８７ａの外面を前記棚板本体８５の下面に接続するためのリブ８７ｃを備えている。
【００３９】
また、この実施形態にかかる椅子は、図１に示すように、肘掛け８９を有している。この肘掛け８９は、図３ないし図５、図８、図１４に示すように、前記下横梁３３の外装壁７１と一体に連続形成されたものであり、前記下横梁３３の外面３３ｃと前記肘掛け８９の外面８９ａとが滑らかに一体化されている。この肘掛け８９は、前記背凭れ７から前方に延出させて設けられたものであり、前記背凭れ７に支持された肘掛け本体９１と、この肘掛け本体９１上に設けられた肘当てパット９３とを具備してなる。
【００４０】
前記肘掛け本体９１は、前記下横梁３３に一体に設けられた肘支柱９５と、この肘支柱９５の先端部に設けられた肘フレーム９７とからなり、この肘フレーム９７上に前記肘当てパット９３を装着している。具体的には、前記肘フレーム９７が、その上面に前後対をなす取付部９７ａを有した硬質の下枠部９７ｂと、この下枠部９７ｂの取付部９７ａに前後両端部を取付けた硬質の上枠部９７ｃとからなるもので、この下枠部９７ｂと上枠部９７ｃとで剛性を有したループ形状を形成している。換言すれば、この下枠部９７ｂと前記上枠部９７ｃとで窓部９９が形成される。そして、上枠部９７ｃの上に軟質の肘当てパット９３を設けている。そして、この窓部９９の開口縁９９ａに平面視において肘当てパット９３の外縁９３ａからはみ出さない状態でかばんその他の荷物Ｂ２を掛けるためのフック１０１を設けている。すなわち、このフック１０１は、前記肘フレーム９７の窓部９９に一体に形成されている。換言すれば、このフック１０１は、前記窓部９９の開口縁９９ａの下辺部分９９ｂを変形させることにより形成されたものである。
【００４１】
また、この実施形態にかかる椅子は、図２ないし図６に示すように、衣類を掛けるためのハンガー１０３を備えている。このハンガー１０３は、前記上横梁２９の下辺２９ｃに懸吊姿勢で一体的に設けられたものであり、衣類を掛けるためのハンガー本体１０５と、このハンガー本体１０５を前記上横梁２９との間に隙間１０７を維持した状態で前記上横梁２９に懸吊支持させる懸吊部材１０９とを具備してなる。
【００４２】
本実施形態における椅子においては、前記張地Ｍの形状を特徴的なものとしている。すなわち、前記張地Ｍは、前記背フレーム２３に設けられた張地取付部である取付溝３５と、この取付溝３５に取り付けられる前の前記張地Ｍの左右両縁部Ｍｃとが、着座者支持面と直交する方向からの視認形状において相互に異なるように構成されている。具体的に説明すれば、前記左右対をなす背フレーム２３が正面視ほぼ平行となる形状をなしており、この背フレーム２３に対応して取付溝３５の形状も正面視ほぼ平行になるようにしている。一方、前記取付溝３５に取り付けられる前の背張地２５は、図１１に示すように、突出部２３ｃに対応する部分の左右両縁部Ｍｃの縁部間距離Ｌ６のみを他の部分の左右両縁部Ｍｃの縁部間距離Ｌ６よりも小さくなるように湾曲させて凹んだ形状としている。
【００４３】
換言すれば、左右のフレームＦの前記取付溝３５の離間距離Ｌ５と、この取付溝３５に取り付けられる前の背張地２５の左右両縁部Ｍｃの縁部間距離Ｌ６とが、特定部分、具体的には着座者の腰を支持する部分である突出部２３ｃにおいて他の部分よりも比率が小さくなるように設定されている。すなわち、突出部２３ｃにおける左右のフレームＦの前記取付溝３５の離間距離Ｌ５と、他の部分における左右のフレームＦの前記取付溝３５の離間距離Ｌ５はほぼ一定であるが、一方、突出部２３ｃにおける前記取付溝３５に取り付けられる前の張地Ｍの左右両縁部Ｍｃの縁部間距離Ｌ６は、他の部分における前記縁部間距離Ｌ６よりも小さくしている。このようなものであるため、張地Ｍの前記突出部２３ｃ対応部分において他の部分よりも大きな張力を付与することができる。特に、張地Ｍの強度が要求される部分に大きな張力を付与することができるため、ランバーサポート等特別な他の部材を別途設けることなく、椅子の座り心地を良好にすることができる。
【００４４】
以上のようにしてなる張地Ｍは、合成樹脂製の糸を織成または編成してなるメッシュ状の張地素材に押し込み材３７を前記視認形状に対応させて添設し、その張地素材の縁を前記押し込み材３７に沿って切除することにより所定形状に形成されるものである。具体的には、張地Ｍの裏面Ｍｂになる面側に前記押し込み材３７を縫製により添着させる。その際、前記特定部分はカーブさせ、前記特定部分以外の部分は直線状にして添着する。その後、押し込み材３７の外側に沿って張地素材を切除すると、所望の形状に張地素材を裁断することが容易になる。さらに、張地素材がメッシュ状であるため、張地素材を切除する前に押し込み材３７を張地Ｍの両側縁部Ｍｃに添着することにより、張地Ｍの左右両縁部Ｍｃのほつれを抑制することもできる。
【００４５】
以上に述べたように、本実施形態に係る回転椅子は、背フレーム２３に可撓性のある張地Ｍを張設して背面を形成するようにしたものであって、前記背フレーム２３に設けられた取付溝３５と、この取付溝３５に取り付けられる前の前記張地Ｍの縁部Ｍｃとが、背面と直交する正面方向からの視認形状において相互に異なるように構成されているので、この視認形状が異なる部分において、背張地２５の張力を他の部分とは異なるものとすることができる。したがって、従来の椅子において、所定のフレームの形状に対応する形状の張地を張設することで張地全体に均一な張力が与えられ、所望の位置に適切な張力で張地Ｍを張設するのが困難であったという課題を、部品点数の増加を招くことなく解消することができる。すなわち、ほぼ平行に配された左右対をなす背フレーム２３の形状に対して、これらの背フレーム２３に設けられた取付溝３５と、この取付溝３５に取り付けられる前の張地Ｍの縁部Ｍｃとが異なる形状をなすように構成されているため、所望の部分で適切な張力を付与することができる。
【００４６】
また、左右の背フレーム２３の前記取付溝３５の離間距離Ｌ５と、この取付溝３５に取り付けられる前の張地Ｍの縁部間距離Ｌ６とが、着座者の腰を支持する部分において他の部分と異なった比率になるように設定されているため、その部分で張地Ｍの張力を変化させることができる。特に、突出部２３ｃにおける左右のフレームＦの前記取付溝３５の離間距離Ｌ５と、他の部分における左右のフレームＦの前記取付溝３５の離間距離Ｌ５はほぼ一定であるが、一方、突出部２３ｃにおける前記取付溝３５に取り付けられる前の張地Ｍの左右両縁部Ｍｃの縁部間距離Ｌ６は、他の部分における前記縁部間距離Ｌ６よりも小さくしており、着座者の腰を支持する部分である突出部２３ｃにおける張地Ｍの張力を他の部分の張力よりも大きくすることができる。
【００４７】
また、前記張地Ｍがメッシュ状のものであるので、他の部分の張力よりも大きい張力を与えた部分の張地Ｍの色は薄くなって見え、張地Ｍ全体のテンション分布を理解することができる。そのため、張地Ｍのどの部分に張力が大きくかかっているかを見た目で識別することが可能となる。
【００４８】
さらに、前記取付溝３５が前記フレームＦの外側面Ｆａに連続的に設けられており、前記張地Ｍが縁部Ｍｃに押し込み材３７を備えたものであり、この押し込み材３７を前記取付溝３５に反転させて挿入して張地Ｍを張設するものであるので、前記押し込み材３７により、張地Ｍを前記取付溝３５に取り付け始めるきっかけを作りやすくなり、また、一度取付溝３５に押し込み材３７を挿入し始めれば、連続的に設けられた取付溝３５に順に押し込み材３７を押し込むことによりフレームＦに張地Ｍを張設できる。そして同時に、このような押し込み材３７を押し込むという簡易な作業によって、所望の部分の張地Ｍの張力を調節することができる。
【００４９】
また、左右対をなすフレームＦ間に前横梁２１、上横梁２９及び下横梁３３を介設した状態で張地Ｍに張力を付与しているので、張地Ｍを左右のフレームＦに対応した形状に保形でき、張地Ｍに高い張力を与えることができる。
【００５０】
さらに、前記前横梁２１が、左右両端部２１ｂに左右の座フレーム１５の内側面１５ａに直接的に密接する対をなす取付壁４５を備えたものであり、前記上横梁２９及び下横梁３３が、左右両端部２９ｂ、３３ｂに左右の背フレーム２３の内側面２３ｄに密接する対をなす取付壁５５、６５をそれぞれ備えているので、各取付壁４５、５５、６５が左右のフレームＦを外側面Ｆａ側に押圧し、前記張地Ｍに左右方向の張力を付与することができる。そのため、張地Ｍに高い張力を与えることができる。
【００５１】
また、左右の肘掛け８９は、腰部背面に位置する下横梁３３と合わせて一体に成形されており、さらに下横梁３３部分において左右の背フレーム２３をつなぐように、左右の背フレーム２３とそれぞれ縦方向の長手寸法Ｌ４をもって固定されているため、取付強度が高く、使用中に肘掛け８９に荷重がかかってもぐらつくことがない。また、肘掛け無しタイプの椅子との互換性についても、製品の組み立て段階で、肘掛け無しタイプまたは肘掛け付きタイプの下横梁３３を必要に応じて選択して取り付けるだけなので、製品の作り分けが容易である。
【００５２】
なお、本発明は以上に述べた実施形態に限られない。
【００５３】
本実施形態では、左右のフレーム間に張設される張地について説明したが、張地の形状及び押し込み材の取付位置等、種々変更可能である。例えば、フレームについては、左右対をなすフレームには限られず、上下方向のフレーム、上下方向及び左右方向のフレームからなるものであってもよく、さらに、フレームが張地の周囲を囲うように配されるロ字形またはコ字形の枠状のものであってもよい。また、座張地と背張地が一体に形成されるもののみならず、座と背が別体のものであって、座張地と背張地とが別々に配されるものであってもよい。
【００５４】
例えば、フレームが張地の周囲を囲うように配される左右フレーム及び上下フレームからなるロ字形の枠状である場合、そのフレームに取り付けられる張地としては、図１５に模式的に示すようなものが挙げられる。この張地Ｍは、左右のフレームＦの前記取付溝３５の離間距離Ｌ７と、この取付溝３５に取り付けられる前の張地Ｍの上下方向中央部の左右両縁部間距離Ｌ８とが異なり、上下のフレームＦの前記取付溝３５の離間距離Ｌ９と、この取付溝３５に取り付けられる前の張地Ｍの左右方向中央部の上下両縁部間距離Ｌ１０とが異なるように設定されている。
【００５５】
具体的には、上下方向中央部における左右対をなすフレームＦの取付溝３５の離間距離Ｌ７と、コーナー部におけるフレームＦの取付溝３５の離間距離Ｌ７とはほぼ一定であるが、一方、上下方向中央部における前記取付溝３５に取り付けられる前の張地Ｍの左右両縁部Ｍｃの縁部間距離Ｌ８は、コーナー部における前記縁部間距離Ｌ８よりも小さくしている。また、左右方向中央部における上下対をなすフレームＦの取付溝３５の離間距離Ｌ９と、コーナー部におけるフレームＦの取付溝３５の離間距離Ｌ９とはほぼ一定であるが、一方、左右方向中央部における前記取付溝３５に取り付けられる前の張地Ｍの左右両縁部Ｍｃの縁部間距離Ｌ１０は、コーナー部における前記縁部間距離Ｌ１０よりも小さくしている。
【００５６】
このように、前記取付溝３５の離間距離Ｌ７、Ｌ９と対応するそれぞれの両縁部離間距離Ｌ８、Ｌ１０の比率が中央部において他の部分よりも小さくなるように設定されている。そのため、この張地Ｍを前記フレームＦに取り付けると、上下方向中央部及び左右方向中央部において特に張地Ｍが強く張設され、フレームＦの枠内に配される張地Ｍに所望の張力を与えることができる。
【００５７】
なお、特定部分における取付溝の離間距離と縁部間距離の比率を他の部分よりも大きく設定した場合には、前記特定部分の張力を小さくすることができることはいうまでもなく、このようにして張地の張力を部分的に調節することも可能である。
【００５８】
また、前記押し込み材の張地への添設の方法としては、縫製によるものに限らず、溶着その他種々変更可能である。
【００５９】
メッシュ状の張地は、繊維や合成樹脂製の糸をメッシュ状に織成または編成したものの他、種々変更可能である。
【００６０】
本実施形態は事務用回転椅子について説明したが、これに限られず、回転椅子以外の椅子にも適用することができるものである。
【００６１】
その他、本発明の趣旨を損ねない範囲で種々に変更してよい。
【符号の説明】
【００６２】
Ｆ…フレーム
Ｆａ…外側面（フレーム）
Ｍ…張地
Ｍｃ…縁部（張地の左右）
Ｌ５…離間距離（フレームの取付溝）
Ｌ６…縁部間距離（張る前の張地）
３５…取付溝
３７…押し込み材
【図１】
2011045575.tif 000003
【図２】
2011045575.tif 000004
【図３】
2011045575.tif 000005
【図４】
2011045575.tif 000006
【図５】
2011045575.tif 000007
【図６】
2011045575.tif 000008
【図７】
2011045575.tif 000009
【図８】
2011045575.tif 000010
【図９】
2011045575.tif 000011
【図１０】
2011045575.tif 000012
【図１１】
2011045575.tif 000013
【図１２】
2011045575.tif 000014
【図１３】
2011045575.tif 000015
【図１４】
2011045575.tif 000016
【図１５】
2011045575.tif 000017